(57)【要約】 【課題】  インラインスケートを立てたままの状態で、最小限の空間に、より簡便できれいに据置いて保管することができるようにするインラインスケート用据置台を提供することにある。【解決手段】  本発明は、より詳細には、ブーツの下面に多数の車輪が装着されるインラインスケートを据置くためのものにおいて、上面に前記車輪の挿入される一対の挿入溝を形成し、前記上面は、床面から前記挿入溝に挿入された車輪が触れない高さを有するように、側面フレームによって支持されていることを特徴とするインラインスケート用据置台に関するものである。【選択図】  図１
2005296648.tif 000002
【特許請求の範囲】
【請求項１】
ブーツの下面に多数の車輪が装着されるインラインスケートを据置くためのものにおいて、
上面１２に前記車輪の挿入される一対の挿入溝１４を形成し、前記上面は、床面から前記挿入溝に挿入された車輪が触れない高さを有するように、側面フレーム１５によって支持されていることを特徴とするインラインスケート用据置台。
【請求項２】
前記両端の側面フレームには多数の連結孔１８が形成されていることを特徴とする特許請求の範囲第１項に記載のインラインスケート用据置台。
【請求項３】
前記連結孔１８には仕上げキャップ１８ａが締結されていることを特徴とする特許請求の範囲第２項に記載のインラインスケート用据置台。
【請求項４】
前記側面フレーム１５の下面に形成されたフランジ１５ａには下面に弾性部材２２が嵌め込まれる多数の支持脚２５が結合されていることを特徴とする特許請求の範囲第１項に記載のインラインスケート用据置台。
【請求項５】
前記フランジ１５には螺旋の形成された固定部２６を形成し、前記支持脚２５には螺旋棒２８を形成してネジ結合される高さ調節部２０を備えていることを特徴とする特許請求の範囲第４項に記載のインラインスケート用据置台。
【請求項６】
前記一対の挿入溝１４を複数個具備することを特徴とする特許請求の範囲第１項に記載のインラインスケート用据置台。
【請求項７】
前記上面１２に形成された挿入溝は、前記車輪の中の一対の車輪が挿入され得るように、同一線上の対応する位置に分割された形態である各々の引入溝１４ａから形成されていることを特徴とする特許請求の範囲第１項に記載のインラインスケート用据置台。
【請求項８】
前記上面１２は曲面に形成されていることを特徴とする特許請求の範囲第１項乃至第７項のいずれか１項に記載のインラインスケート用据置台。
【請求項９】
前記上面１２は平面に形成されていることを特徴とする特許請求の範囲第１項乃至第７項のいずれか１項に記載のインラインスケート用据置台。
【発明の詳細な説明】
【技術分野】
【０００１】
本発明は、インラインスケート用据置台に関するもので、より詳細には、インラインスケートを立てたままの状態で、最小限の空間に、より簡便できれいに据置いて保管することができるようにしたインラインスケート用据置台に関するものである。
【背景技術】
【０００２】
一般的に、インラインスケートは、スキーブーツに３〜５個の特殊ポリウレタン車輪を連結してスケートとスキーの機能を一つに合わせ持つもので、最近趣味活動やレジャー活動として、誰もが簡単に習えるだけでなく、運動を兼ねることもでき、たくさんの人々が好んで乗っている実情である。
【０００３】
これに伴い、各家庭ごとに少なくとも一足または複数足のインラインスケートを持つようになってきたが、その保管には多大なる難点があった。
【０００４】
つまり、前記インラインスケートの場合は、ブーツの下面に多数の車輪が装着されている構造的な特性のため下駄箱などに収納することができないので、使用した後は家の出入り口の片隅や下駄箱の片隅、または物置やベランダ等によりかからせて置いたり放置されていた。
【０００５】
従って、上記のように置かれたインラインスケートが原因で、家庭内でいろいろな干渉が生じ、相当不便であっただけでなく、見た目も相当目障りだという問題点があった。
【発明の開示】
【発明が解決しようとする課題】
【０００６】
そこで、本発明は前記のような従来の諸般問題点を解消しようと案出されたもので、その目的は、インラインスケートを立てたまま最小限の空間に、より簡便できれいに据置いて保管できるようにすることにある。
【０００７】
本発明の他の目的は、インラインスケート複数足を保管することができるようにすることにある。
【０００８】
本発明のまた他の目的は、外観をきれいに維持することができるようにすることにある。
【０００９】
本発明のまた他の目的は、床面に擦られた場合発生する騒音を最小化することができるようにすることにある。
【００１０】
本発明のまた他の目的は、床面が一様でない所でも水平状態を維持することができるように設置することができるようにすることにある。
【００１１】
本発明のまた他の目的は、設置される占有面積を最小化することができるようにすることにある。
【００１２】
本発明のまた他の目的は、制作がより簡単になされるようにすることにある。
【課題を解決するための手段】
【００１３】
前記のような目的を達成するための本発明は、ブーツの下面に多数の車輪が装着されるインラインスケートを据置くためのものにおいて、上面に前記車輪の挿入される一対の挿入溝を形成し、前記上面は、床面から前記挿入溝に挿入された車輪が触れない高さを有するように、側面フレームによって支持されていることを特徴とする。
【００１４】
前記両端の側面フレームには多数の連結孔が形成されていることを特徴とする。
【００１５】
前記連結孔には仕上げキャップが締結されていることを特徴とする。
【００１６】
前記側面フレームの下面に形成されたフランジには下面に弾性部材が嵌め込まれる多数の支持脚が結合されていることを特徴とする。
【００１７】
前記フランジには螺旋の形成された固定部を形成し、前記支持脚には螺旋棒を形成してネジ結合される高さ調節部を備えていることを特徴とする。
【００１８】
前記一対の挿入溝を複数個具備することを特徴とする。
【００１９】
前記上面に形成された挿入溝は、前記車輪の中の一対の車輪が挿入され得るように、同一線上の対応する位置に分割された形態である各々の引入溝から形成されていることを特徴とする。
【００２０】
前記上面は曲面に形成されていることを特徴とする。
【００２１】
前記上面は平面に形成されていることを特徴とする。
【発明の効果】
【００２２】
上述したように、本発明は、インラインスケートを立てたまま、最小限の空間に、より簡便できれいに据置いて保管することができるようにすることによって、家庭内でのインラインスケートによる干渉を最少化することができるだけでなく、美観、また便利さは勿論、使わない場合は狭小な空間に立てて円滑に保管できるようにする効果を有するのである。
【００２３】
また、インラインスケートを複数足保管することができるようにすることによって、複数のインラインスケートを簡便に保管できるという効果を有する。
【００２４】
また、連結部分に結合される仕上げキャップによって、外観がきれいに維持され得るという効果も有する。
【００２５】
また、床面に擦られる場合に発生する騒音を最小化することができるようにすることによって、より一層安定して使用することができるという効果も有する。
【００２６】
また、高さ調節部によって、床面が一様でない所でも水平状態が維持されるように設置することができ、設置場所にかかわらず使用することができるという効果も有する。
【００２７】
また、最小限の幅を有するようにすることによって、設置される占有面積を最小化することができるという効果も有する。
【００２８】
また、上面を平面に形成することによって、制作がより簡単になされるのは勿論、材料節減、制作原価も低減することができるという効果も有する。
【発明を実施するための最良の形態】
【００２９】
以下、本発明の好ましい実施例を添付の図面を参照により詳細に説明すると、次のとおりである。
【００３０】
図１は、本発明を概略的に示した要部斜視図で、図２は、図１による概略的な要部縦断面図である。
【００３１】
図示されているように、通常のブーツ１１０の下面に３〜５個程度の多数の車輪１２０が装着されるインラインスケート１００を据置くためのものにおいて、
本発明は、上面１２に前記車輪の挿入される一対の挿入溝１４を形成し、前記上面１２は、床面から前記挿入溝に挿入された車輪が触れない高さを有するように、側面フレーム１５によって支持される据置台を示しているものである。
【００３２】
前記で、上面１２は曲面に形成し、使用者の外観に関する拒否感を最小化することができるようにすると共に、周辺の他の物品とも円滑に似合うようにするのが好ましい。
【００３３】
上記のように構成されることによって、インラインスケートを使用した後は脱いで前記据置台の上面に形成された挿入溝にインラインスケートの車輪を挿入することによって、インラインスケートの車輪が前記挿入溝上で支持され、倒れずに立ったままの状態で揃えて保管することができる条件を有することになるのである。
【００３４】
従って、家庭内のどこに置かれても乱れた状態で保管されていたインラインスケートを、最小限の空間でも真っ直ぐに立てたまま保管することができるようにすることによって、インラインスケートによる干渉を最少化することができるだけでなく、美観上でも良好な状態を維持することができるのである。
【００３５】
また、前記据置台は、使わない時は狭小な空間に立てて保管することができ、更に実用的に使用することのできる条件も有することになる。
【００３６】
そして、家庭ではない、インラインスケート販売店やレンタル店などでも、インラインスケートの保管をより容易にすることができる付随的な条件も有することができるのである。
【００３７】
一方、前記のようにインラインスケートを保管する過程で、一足のインラインスケートだけを据置いて保管するのではなく、複数のインラインスケートを保管しようとする場合は、前記の本発明の据置台１０をお互い連結して使用することができるようにするために、
前記両端の側面フレーム１５には多数の連結孔１８を形成し、通常のボルトとナットによってお互い連結できるようにするのが好ましい。
【００３８】
また、前記連結孔を使用しない時は、前記連結孔に通常的な仕上げキャップ１８を締結することによって、前記の据置台を連結して使用しない時の外観がきれいになるようにすることが好ましい。
【００３９】
図３は、本発明の他の実施例を示した要部正面図である。
【００４０】
図示されているように、前記の構成で、前記据置台１０両端の側面フレーム１５に形成された多数の連結孔１８を通常のボルトとナットを利用してお互い連結した状態を示したものである。
【００４１】
これによって、一足のインラインスケートを据置いて保管することができるだけでなく、複数足のインラインスケートを据置いて保管する場合は、前記据置台を複数連結し、複数足のインラインスケートを前記据置台の上面に形成された挿入溝に挿入して保管することができる条件も有するのである。
【００４２】
図４ａは、本発明のまた他の実施例を概略的に示した要部図である。
【００４３】
図示されているように、前記の構成で、前記の本発明の据置台１０が床面に置かれた状態で擦られた場合、摩擦音が発生しないようにするのは勿論、ある程度の緩衝力を有することができるようにするために、
前記側面フレーム１５の下面に形成されたフランジ１５ａに、ゴムなどのような弾性部材２２が下面に嵌め込まれる支持脚２５が溶接などで結合されているのを示したものである。
【００４４】
従って、前記の据置台が床面に擦られる場合に発生する摩擦音を前記弾性部材で最小化することができるだけでなく、前記据置台の上部から加えられる外部圧力にもある程度の緩衝力を有することができるのである。
【００４５】
図４ｂは、図４ａによるまた他の実施例を概略的に示した要部図である。
【００４６】
図示されているように、前記の構成で、前記の本発明の据置台が床面の一様でない場所でも水平状態を維持して設置されるようにするために、
前記フランジ１５ａには螺旋の形成された通常のタップ孔やナットなどを溶接した固定部２６を形成し、前記支持脚２５には前記固定部と対応する螺旋棒２８を形成してネジ結合される高さ調節部２０を具備しているのを示すものである。
【００４７】
これにより、前記支持脚をネジ締結によって高さ調節ができるようにすることによって、前記の本発明の据置台の置かれる床面が一様でなくとも、前記の支持脚の高さを調節して水平状態での設置が円滑になされることができる条件も有することになる。
【００４８】
図５は、本発明のまた他の実施例を概略的に示した要部図である。
【００４９】
図示されているように、前記の構成で、前記据置台と据置台をお互い連結するのではなく、その一つの据置台に複数のインラインスケートを据置いて保管できるようにするために、
前記据置台１０の上面１２に形成される一対の挿入溝１４が複数個具備されているのを示したものである。
【００５０】
従って、前記のように複数の据置台を連結する必要なく、一つの据置台でも複数のインラインスケートを据置いて保管することができる条件を有することになるのである。
【００５１】
図６ａは、本発明のまた他の実施例を概略的に示した要部図である。図６ｂは、図６ａによる概略的な要部縦断面図である。
【００５２】
図示されているように、前記の構成で、本発明の据置台の幅をより小さな幅を有するようにして、最小限の占有面積を有するようにするために、
前記上面１２に形成された挿入溝を、前記車輪の中の一対の車輪が挿入されることができるように、同一線上の対応する位置に分割された形態である引入溝１４ａで形成したものを示したものである。
【００５３】
これによって、前記据置台の幅を最小化することができ、前記据置台の置かれる占有面積を最小化することができるだけでなく、使わない時は狭い空間に立てて保管するのが容易である条件も有することになる。
【００５４】
また、据置台の幅を小さくすることによって、制作の際に材料を節減することができるだけでなく、制作単価も低減することができる付随的な条件も有することになる。
【００５５】
図７ａは、本発明のまた他の実施例を概略的に示した要部図である。
【００５６】
図示されているように、前記の構成で、前記の上面が弧形態に形成されたのを一例として説明したが、これは弧形だけでなく、前記インラインスケートの車輪が全て挿入されるように挿入溝１４が形成された、上面１２が平面状態に形成されているのを示したものである。
【００５７】
従って、本発明の据置台の制作がより簡単でありながら、便利になされることができる条件も有することになる。
【００５８】
図７ｂは、図７ａによるまた他の実施例を概略的に示した要部図である。
【００５９】
図示されているように、前記の構成で、これも前記図７ａでのように上面が平面状態に形成されたもので、これに形成される挿入溝は、前述のように据置台の幅を最小化することができるようにするために、
前記インラインスケートの車輪の中の一対の車輪が挿入されることができるように、前記平面に形成された上面１２の挿入溝を、同一線上の対応する位置に分割された形態である各々の引入溝１４で形成したものを示したものである。
【００６０】
これによって、制作がより簡単で便利になされながら、据置台の占める占有面積も最小化することができる条件を有することになるのである。
【図面の簡単な説明】
【００６１】
【図１】本発明を概略的に示した要部斜視図である。
【図２】図１による概略的な要部縦断面図である。
【図３】本発明による他の実施例を示した要部正面図である。
【図４ａ】本発明のまた他の実施例を概略的に示した要部図である。
【図４ｂ】図４によるまた他の実施例を概略的に示した要部図である。
【図５】本発明のまた他の実施例を概略的に示した要部図である。
【図６ａ】本発明のまた他の実施例を概略的に示した要部図である。
【図６ｂ】図６ａによる概略的な要部縦断面図である。
【図７ａ】本発明のまた他の実施例を概略的に示した要部図である。
【図７ｂ】図７ａによるまた他の実施例を概略的に示した要部図である。
【符号の説明】
【００６２】
１０    据置台
１２    上面
１４    挿入溝
１４ａ  引入溝
１５    側面フレーム
１５ａ  フランジ
１８    連結孔
１８ａ  仕上げキャップ
２０    高さ調節部
２２    弾性部材
２５    支持脚
２６    固定部
２８    螺旋棒
１００  インラインスケート
１１０  ブーツ
１２０  車輪
【図１】
2005296648.tif 000003
【図２】
2005296648.tif 000004
【図３】
2005296648.tif 000005
【図４ａ】
2005296648.tif 000006
【図４ｂ】
2005296648.tif 000007
【図５】
2005296648.tif 000008
【図６ａ】
2005296648.tif 000009
【図６ｂ】
2005296648.tif 000010
【図７ａ】
2005296648.tif 000011
【図７ｂ】
2005296648.tif 000012